(57)【要約】シグナリングサーバがブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザが前記緊急通信サーバへ緊急サービス要求を送信することと、前記緊急通信サーバが緊急サービス要求を緊急通信受付センターに転送することとを含むリアルタイム通信におけるブラウザ緊急呼び出し方法を開示する。同時に、リアルタイム通信におけるブラウザ緊急呼び出しシステムと移動装置を開示する。本発明の技術的解決手段によれば、緊急通信サーバを配置する技術的解決手段を採用し、または移動通信ネットワークを選択してブラウザ緊急呼び出しを行うことで、ＲＴＣＷＥＢシステムのクロスエリア緊急呼び出しを実現することができる。
2016500234.tif 000002
【特許請求の範囲】
【請求項１】
リアルタイム通信におけるブラウザ緊急呼び出し方法であって、
シグナリングサーバがブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザが前記緊急通信サーバへ緊急サービス要求を送信することと、
前記緊急通信サーバが緊急サービス要求を緊急通信受付センターに転送することとを含む、前記方法。
【請求項２】
前記シグナリングサーバがブラウザを介して緊急呼び出しを行うユーザの位置情報を取得することは、
シグナリングサーバが、ブラウザを介してユーザから送信された、ユーザのＩＰアドレス、またはブラウザの位置座標、または移動ユーザの位置パラメータが含まれている緊急呼び出し要求を受信し、前記緊急呼び出し要求に応じてユーザの位置情報を取得することであることを特徴とする
請求項１に記載のブラウザ緊急呼び出し方法。
【請求項３】
シグナリングサーバがブラウザを介して緊急呼び出しを行うユーザの位置情報を取得することは、
シグナリングサーバが、ブラウザを介してユーザから送信された、サービスコード、及びユーザのＩＰアドレス、またはブラウザの位置座標、または移動ユーザの位置パラメータが含まれている一般呼び出し要求を受信し、シグナリングサーバが、前記サービスコードが緊急呼び出しサービスコードであるかどうかに応じて前記一般呼び出し要求が緊急呼び出し要求であるかどうかを確定し、前記一般呼び出し要求が緊急呼び出し要求である場合、前記緊急呼び出し要求に応じてユーザの位置情報を取得することであることを特徴とする
請求項１に記載のブラウザ緊急呼び出し方法。
【請求項４】
シグナリングサーバがブラウザを介して緊急呼び出しを行うユーザの位置情報を取得することは、
シグナリングサーバが、ブラウザを介してユーザから送信された緊急呼び出し要求を受信し、位置サーバを介してユーザの位置情報を取得することであることを特徴とする
請求項１に記載のブラウザ緊急呼び出し方法。
【請求項５】
前記位置情報に基づいてシグナリングサーバとユーザに最も近い緊急通信受付センターとの間に接続された緊急通信サーバを照会することは、
前記位置情報に基づいてインターネットにおいてユーザに最も近い緊急通信受付センターを照会し、前記緊急通信受付センターのルーティングに応じてシグナリングサーバと前記緊急通信受付センターとの間に接続された緊急通信サーバのＩＰアドレスを確定することであることを特徴とする
請求項１に記載のブラウザ緊急呼び出し方法。
【請求項６】
前記緊急サービス要求には、緊急通信受付センターのＩＰアドレスまたは番号、および／またはユーザの位置情報が含まれることを特徴とする
請求項１に記載のブラウザ緊急呼び出し方法。
【請求項７】
前記緊急通信受付センターが前記緊急サービス要求を受信した後に、前記緊急サービス要求に応答し、且つ緊急サービス要求応答を返すことをさらに含むことを特徴とする
請求項１に記載のブラウザ緊急呼び出し方法。
【請求項８】
緊急呼び出しを開始し、且つ緊急呼び出し要求応答を受信した後に、緊急通信サーバへ緊急サービス要求を送信するように構成されるブラウザと、
ブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返すように構成されるシグナリングサーバと、
緊急サービス要求を緊急通信受付センターに転送するように構成される緊急通信サーバと、
緊急通信サーバから送信された緊急サービス要求を受信するように構成される緊急通信受付センターとを含むリアルタイム通信におけるブラウザ緊急呼び出しシステム。
【請求項９】
前記シグナリングサーバは、ブラウザを介してユーザから送信された、ユーザのＩＰアドレス、またはブラウザの位置座標、または移動ユーザの位置パラメータが含まれている緊急呼び出し要求を受信し、前記緊急呼び出し要求に応じて、ブラウザを介して緊急呼び出しを行うユーザの位置情報を取得するように構成されることを特徴とする
請求項８に記載のブラウザ緊急呼び出しシステム。
【請求項１０】
前記シグナリングサーバは、ブラウザを介してユーザから送信された、サービスコード、及びユーザのＩＰアドレス、またはブラウザの位置座標、または移動ユーザの位置パラメータが含まれている一般呼び出し要求を受信し、前記サービスコードが緊急呼び出しサービスコードであるかどうかに応じて前記一般呼び出し要求が緊急呼び出し要求であるかどうかを確定し、前記一般呼び出し要求が緊急呼び出し要求である場合、前記緊急呼び出し要求に応じて、ブラウザを介して緊急呼び出しを行うユーザの位置情報を取得するように構成されることを特徴とする
請求項８に記載のブラウザ緊急呼び出しシステム。
【請求項１１】
前記シグナリングサーバは、ブラウザを介してユーザから送信された緊急呼び出し要求を受信し、位置サーバを介してユーザの位置情報を取得するように構成されることを特徴とする
請求項８に記載のブラウザ緊急呼び出しシステム。
【請求項１２】
前記緊急サービス要求には、緊急通信受付センターのＩＰアドレスまたは番号、および／またはユーザの位置情報が含まれることを特徴とする
請求項８に記載のブラウザ緊急呼び出しシステム。
【請求項１３】
前記緊急通信受付センターは、さらに、前記緊急サービス要求を受信した後に、前記緊急サービス要求に応答し、且つ緊急サービス要求応答を返すように構成されることを特徴とする
請求項８に記載のブラウザ緊急呼び出しシステム。
【請求項１４】
リアルタイム通信におけるブラウザ緊急呼び出し方法であって、
ブラウザが、緊急呼び出しを開始する場合に、Ｊａｖａ（登録商標）スクリプト機能を利用して緊急サービス要求を移動通信モジュールに送信することと、移動通信モジュールが前記緊急サービス要求に応じて移動通信システムにおいて緊急呼び出しを開始することとを含む、前記方法。
【請求項１５】
Ｊａｖａ（登録商標）スクリプト機能を利用して緊急サービス要求を移動通信モジュールに送信する前に、当該方法は、
前記ブラウザが現在の呼び出し要求におけるサービスコードに基づいて現在の呼び出し要求が緊急サービス要求であることを確定すること、
または、前記ブラウザが現在の呼び出し要求をシグナリングサーバに送信し、前記シグナリングサーバが、現在の呼び出し要求におけるサービスコードに基づいて現在の呼び出し要求が緊急サービス要求であることを確定し、ブラウザへ緊急呼び出し識別子が含まれている緊急サービス要求を返すことをさらに含むことを特徴とする
請求項１４に記載のブラウザ緊急呼び出し方法。
【請求項１６】
緊急呼び出しを開始する場合に、緊急サービス要求を呼び出しモジュールに送信するように構成されるブラウザモジュールと、
Ｊａｖａ（登録商標）スクリプト機能を利用して緊急サービス要求を移動通信モジュールに送信するように構成される呼び出しモジュールと、
前記緊急サービス要求に応じて移動通信システムにおいて緊急呼び出しを開始するように構成される移動通信モジュールと、を含む移動装置。
【請求項１７】
前記ブラウザモジュールは、さらに、緊急サービス要求を呼び出しモジュールに送信する前に、現在の呼び出し要求におけるサービスコードに基づいて現在の呼び出し要求が緊急サービス要求であることを確定し、
または、現在の呼び出し要求をシグナリングサーバに送信し、前記シシグナリングサーバから返された、緊急呼び出し識別子が含まれている緊急サービス要求を受信するように構成されることを特徴とする
請求項１６に記載の移動装置。
【発明の詳細な説明】
【技術分野】
【０００１】
本発明は、ネットワークにおける緊急呼び出し技術に関し、特にリアルタイム通信におけるブラウザ緊急呼び出し方法、システムおよび移動装置に関する。
【背景技術】
【０００２】
政府の管理規定によれば、電気通信ネットワークは、緊急音声呼び出しサービスを提供することができなければならない。ユーザが緊急呼び出し番号をダイヤルし、または端末装置に記憶されたデフォルトの緊急呼び出し番号を使用し、または緊急呼び出し識別子を使用して緊急呼び出しを開始する場合、電気通信ネットワークは、緊急呼び出しをローカルの緊急通信受付センター、例えば警察、消防、医療援助、救助などに続いて接続する。
【０００３】
インターネットプロトコル（ＩＰ：Ｉｎｔｅｒｎｅｔ  Ｐｒｏｔｏｃｏ）マルチメディアコアネットワークサブシステム（ＩＭＳ：ＩＰＭｕｌｔｉｍｅｄｉａ  Ｃｏｒｅ  Ｎｅｔｗｏｒｋ  Ｓｕｂｓｙｓｔｅｍ）も緊急呼び出しサービスを提供しなければならない。
【０００４】
図１がＩＭＳの緊急呼び出しのシステム基準フレームワークである。フレームワーク全体は、ユーザ装置（ＵＥ：Ｕｓｅｒ  Ｅｑｕｉｐｍｅｎｔ）１０１、プロキシ呼セッション制御機能（Ｐ−ＣＳＣＦ：Ｐｒｏｘｙ  Ｃａｌｌ  Ｓｅｓｓｉｏｎ  Ｃｏｎｔｒｏｌ  Ｆｕｎｃｔｉｏｎ）１０２、サービング呼セッション制御機能（Ｓ−ＣＳＣＦ：Ｓｅｒｖｉｎｇ  Ｃａｌｌ  Ｓｅｓｓｉｏｎ  Ｃｏｎｔｒｏｌ  Ｆｕｎｃｔｉｏｎ）１０３、ホーム加入者サーバ（ＨＳＳ：Ｈｏｍｅ  Ｓｕｂｓｃｒｉｂｅｒ  Ｓｅｒｖｅｒ）１０４、緊急呼セッション制御機能（Ｅ−ＣＳＣＦ：Ｅｍｅｒｇｅｎｃｙ  Ｃａｌｌ  Ｓｅｓｓｉｏｎ  Ｃｏｎｔｒｏｌ  Ｆｕｎｃｔｉｏｎ）１０５、位置取得機能（ＬＲＦ：Ｌｏｃａｔｉｏｎ  Ｒｅｔｒｉｅｖａｌ  Ｆｕｎｃｔｉｏｎ）１０６と緊急通信受付センター（ＰＳＡＰ：Ｐｕｂｌｉｃ  Ｓａｆｅｔｙ  Ａｎｓｗｅｒｉｎｇ  Ｐｏｉｎｇ）１０７を含み、また、セッションプロセスにおいて相互接続ボーダーコントロール機能（ＩＢＣＦ：Ｉｎｔｅｒｃｏｎｎｅｃｔｉｏｎ  Ｂｏｒｄｅｒ  Ｃｏｎｔｒｏｌ  Ｆｕｎｃｔｉｏｎ）、尋問呼び出しセッション制御機能（Ｉ−ＣＳＣＦ：Ｉｎｔｅｒｒｏｇａｔｉｎｇ  Ｃａｌｌ  Ｓｅｓｓｉｏｎ  Ｃｏｎｔｒｏｌ  Ｆｕｎｃｔｉｏｎ）、メディアゲートウェイ制御機能（ＭＧＣＦ：Ｍｅｄｉａ  Ｇａｔｅｗａｙ  Ｃｏｎｔｒｏｌ  Ｆｕｎｃｔｉｏｎ）、メディアゲートウェイ（ＭＧＷ：Ｍｅｄｉａ  Ｇａｔｅｗａｙ）などの機能エンティティに関連する。
【０００５】
ここで、Ｅ−ＣＳＣＦ１０５は、ＩＭＳドメインに導入された新しい機能エンティティであって、Ｐ−ＣＳＣＦ１０２と同じネットワーク（ユーザがローミングする場合、ユーザのアクセスネットワークである）に位置し、Ｐ−ＣＳＣＦ１０２からの緊急セッション確立要求の受信を負担し、ユーザより提供された位置情報またはＬＲＦ１０６から取得された位置情報とルーティング情報に基づいて、緊急セッション確立要求をＭｍインターフェースを介してＩＰネットワークに接続された緊急通信受付センター１０７にルーティングし、またはＭｉ／Ｍｇインターフェースを介して公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）に接続された緊急通信受付センター１０７にルーティングし、且つ緊急通信受付センター１０７は、Ｌｅインターフェースを介してＬＲＦ１０６から直接ユーザの位置情報を取得し、Ｍｍ／Ｍｗインターフェースを介してホームネットワークに接続されることができる。
【０００６】
ユーザのルーティング状態およびアクセスされたＰ−ＣＳＣＦのネットワーク位置によって、呼び出しの発生シーンは、以下の３つのシーンに分けられる。
【０００７】
シーン１：ユーザがルーティングしなく（ホームネットワークに位置する）、Ｐ−ＣＳＣＦがホームネットワークに位置する。
【０００８】
シーン２：ユーザがルーティングし（アクセスネットワークに位置する）、Ｐ−ＣＳＣＦがホームネットワークに位置する。
【０００９】
シーン３：ユーザがルーティングし（アクセスネットワークに位置する）、Ｐ−ＣＳＣＦがアクセスネットワークに位置する。
【００１０】
従来の移動通信ネットワークに対して、緊急呼び出しをサポートし、ユーザが緊急呼び出しをダイヤルする場合、移動通信システムは、回路ドメインにおいて優先的に緊急呼び出しにリソースを割り当てて、緊急呼び出しの呼び出しが正常であることを保証し、また、移動通信システムは、最寄りの緊急通信受付センターを呼び出して、緊急呼び出しの迅速な処理を保証する。
【００１１】
通信ネットワークとインターネッの益々の統合に伴い、それぞれの通信需要がますます複雑となり、通信が単一のオーディオだけではなく、ビデオと他のメディアの混合形態が存在するかもしれなく、且つ通信が適時性要求を有すことがある。
【００１２】
現在、ブラウザは、クライアント／サーバ（Ｃ／Ｓ：Ｃｌｉｅｎｔ／Ｓｅｒｖｅｒ）構造であって、且つ現在一般的にウェブページにオーディオ（ａｕｄｉｏ）、またはビデオ（ｖｉｄｅｏ）などのリアルタイムメディアサービスを提供し、基本的にプラグイン技術（ｐｌｕｓ−ｉｎ）またはダウンロードにより実現され、現在のウェブページ技術、さらには現在のハイパーテキスト伝送プロトコル（Ｈｙｐｅｒｔｅｘｔ  Ｔｒａｎｓｆｅｒ  Ｐｒｏｔｏｃｏｌ、ＨＴＴＰと略称される）技術がストリームモードのメディア配布を良くサポートできない。これにより、ブラウザに基づくリアルタイム通信は、欠点が存在し、プラグイン／プラグインアプリケーションプログラム／またはダウンロードにより、ブラウザの効率を実現して加速する。
【００１３】
上記の技術的問題に対して、ピアツーピア（Ｐ２Ｐ：Ｐｅｅｒ−ｔｏ−Ｐｅｅｒ）のブラウザ技術は、ブラウザ間のピアツーピアの通信技術として、ブラウザがＰ２Ｐの特性をリアルタイムに利用してビデオ、オーディオおよびリアルタイム通信のための補足が含まれる内容を伝送することが可能となる。
【００１４】
現在生じるリアルタイム通信（ＲＴＣ：Ｒｅａｌ−Ｔｉｍｅ  Ｃｏｍｍｕｎｉｃａｔｉｏｎｓ）ネットワーク（ＷＥＢ）研究課題は、本質的にブラウザ間の直接ピアツーピアで通信する基準であって、中央サーバを必要としない。当該基準は、人為的干渉と盗聴を減少させ、インターネット通信の信頼性を高めることができ、クライアントにおけるアプリケーションプログラミングインターフェース（ＡＰＩ：Ａｐｐｌｉｃａｔｉｏｎ  Ｐｒｏｇｒａｍｍｉｎｇ  Ｉｎｔｅｒｆａｃｅ）でこの新しいリアルタイム通信概念を実現し、当該ＡＰＩが直接ブラウザベンダーに呼び出されることができ、必要以上にプラグインとアプリケーションをダウンロードすることなく、使用されることができる。
【００１５】
基準組織ＩＥＴＦにおけるＲＥＣＷＥＢワーキンググループが２０１１年７月に設立され、主な目標としてワールドワイドウェブコンソーシア（Ｗ３Ｃ：Ｗｏｒｌｄ  Ｗｉｄｅ  Ｗｅｂ  Ｃｏｎｓｏｒｔｉｕｍ）のＲＴＣＷＥＢワーキンググループと協同して、プラグインのサポートを必要しなく、ブラウザを介して直接リアルタイムビデオおよびオーディオ通信を実現する。
【００１６】
ＩＥＴＦに関連する標準化部分は、データ伝送プロトコル、メディア伝送プロトコル、リアルタイム伝送プロトコル（ＲＴＰ：Ｒｅａｌ−ｔｉｍｅ  Ｔｒａｎｓｐｏｒｔ  Ｐｒｏｔｏｃｏｌ）／安全リアルタイム伝送プロトコル（ＳＲＴＰ：Ｓｅｃｕｒｅ  Ｒｅａｌ−ｔｉｍｅ  Ｔｒａｎｓｐｏｒｔ  Ｐｒｏｔｏｃｏｌ）の使用に関する規定、セッション接続および制御、メディアデータフォーマット、ブラウザのローカルサポートなどを含む。前記データ伝送プロトコルは、ネットワークアドレス変換（ＮＡＴ：Ｎｅｔｗｏｒｋ  Ａｄｄｒｅｓｓ  Ｔｒａｎｓｌａｔｉｏｎ）トラバーサルなどを含む。前記セッション接続および制御は、どのようにセッションを確立するか、どのようにメディア交渉を行うかなどを含む。前記メディアデータフォーマットは、必須およびオプションの符号化フォーマットなどを含む。前記ブラウザのローカルサポートは、基本的なローカルデバイス制御、例えば音量、カメラの焦点距離などを含む。
【００１７】
ＲＴＣＷＥＢワーキンググループは、ちょうど設立されて多くのインターネットの巨頭および従来電気業界のエリクソン社などの会社を引きつけた。多くの会社は、ＲＴＣＷＥＢの原型を実現して表示する。
【００１８】
図２が従来ＲＴＣＷＥＢサービスの基本的な構造図であって、主に以下のネットワーク要素を含む。
【００１９】
シグナリングサーバは、主にブラウザ（Ｂｒｏｗｓｅｒ）のユーザ登録、ユーザアドレッシング、セッション状態維持を担当する。
【００２０】
ブラウザ（Ａ、Ｂ）は、主にユーザ端末インターフェースの表示、セッションを開始して受け付けて、ターゲットブラウザとメディア接続を確立することを担当する。
【００２１】
ブラウザＡがブラウザＢとリアルタイム通信セッションを確立しようとする場合、ブラウザＡは、まずハイパーテキストプロトコル（ＨＴＴＰ）またはＷｅｂソケットプロトコル（Ｗｅｂ  Ｓｏｃｋｅｔ）により、登録されたシグナリングサーバＡへセッション要求を送信し、セッション要求メッセージには、ターゲットブラウザＢの身元識別子ＩＤ、および自体のメディアアドレス情報が含まれる。シグナリングサーバＡは、ブラウザＢの身元識別子ＩＤに基づいて分析し、ユーザがシグナリングサーバＢで登録登記を行うことを見つけて、セッション初期メッセージ（ＳＩＰ）を採用してシグナリングサーバＢへセッション要求を送信する。シグナリングサーバＢは、ブラウザＢユーザの登録アドレスに基づいて、ＨＴＴＰプロトコルによりブラウザＢへセッション要求メッセージを送信し、前記セッション要求メッセージには、ブラウザＡのメディアポートＩＰアドレスおよびポート情報が含まれる。ブラウザＢは、今回のセッションを受け付け、応答メッセージを返し、ローカルのメディアアドレスとポート情報を返す。
【００２２】
このようにして、ブラウザＡとブラウザＢは、リアルタイム通信を確立する。
【００２３】
ブラウザＡに対して緊急サービスを行い、ブラウザＡがＲＴＣＷＥＢを有するいかなる端末（デスクトップ、ノートパソコン、さらには移動端末）に呼び出しを行うことができるので、ブラウザＡは、シグナリングサーバＡに対応してＩＭＳのＰ−ＣＳＣＦと同様に、アクセスドメインに位置するかもしれなく、ホームドメインに位置する可能性もあって、そのためブラウザＡによって直接緊急通信受付センターにルーティングすると、遠隔警報が発生するかもしれなく、それによって緊急呼び出しがリアルタイムかつ迅速に処理されない。また、ＲＴＣＷＥＢを有する移動端末に対して、ＲＴＣＷＥＢ緊急システムが配置されない場合、緊急呼び出しを処理できない。
【発明の概要】
【発明が解決しようとする課題】
【００２４】
本発明の実施形態は、主にリアルタイム通信におけるブラウザ緊急呼び出し方法、システムおよび移動装置を提供して、ＲＴＣＷＥＢシステムのクロスエリア緊急呼び出しを実現する。
【課題を解決するための手段】
【００２５】
本発明の実施形態の技術的解決手段は、以下のように実現される。
【００２６】
本発明の実施形態に係るリアルタイム通信におけるブラウザ緊急呼び出し方法は、
シグナリングサーバがブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザが前記緊急通信サーバへ緊急サービス要求を送信することと、
前記緊急通信サーバが緊急サービス要求を緊急通信受付センターに転送することとを含む。
【００２７】
上記の技術的解決手段において、前記シグナリングサーバがブラウザを介して緊急呼び出しを行うユーザの位置情報を取得することは、シグナリングサーバが、ブラウザを介してユーザから送信された、ユーザのＩＰアドレス、またはブラウザの位置座標、または移動ユーザの位置パラメータが含まれている緊急呼び出し要求を受信し、前記緊急呼び出し要求に応じてユーザの位置情報を取得することである。
【００２８】
上記の技術的解決手段において、前記シグナリングサーバがブラウザを介して緊急呼び出しを行うユーザの位置情報を取得することは、シグナリングサーバが、ブラウザを介してユーザから送信された、サービスコード、及びユーザのＩＰアドレス、またはブラウザの位置座標、または移動ユーザの位置パラメータが含まれている一般呼び出し要求を受信し、シグナリングサーバが、前記サービスコードが緊急呼び出しサービスコードであるかどうかに応じて前記一般呼び出し要求が緊急呼び出し要求であるかどうかを確定し、前記一般呼び出し要求が緊急呼び出し要求である場合、前記緊急呼び出し要求に応じてユーザの位置情報を取得することである。
【００２９】
上記の技術的解決手段において、前記シグナリングサーバがブラウザを介して緊急呼び出しを行うユーザの位置情報を取得することは、シグナリングサーバが、ブラウザを介してユーザから送信された緊急呼び出し要求を受信し、位置サーバを介してユーザの位置情報を取得することである。
【００３０】
上記の技術的解決手段において、前記位置情報に基づいてシグナリングサーバとユーザに最も近い緊急通信受付センターとの間に接続された緊急通信サーバを照会することは、前記位置情報に基づいてインターネットにおいてユーザに最も近い緊急通信受付センターを照会し、前記緊急通信受付センターのルーティングに応じてシグナリングサーバと前記緊急通信受付センターとの間に接続された緊急通信サーバのＩＰアドレスを確定することである。
【００３１】
上記の技術的解決手段において、前記緊急サービス要求には、緊急通信受付センターのＩＰアドレスまたは番号、および／またはユーザの位置情報が含まれる。
【００３２】
上記の技術的解決手段において、当該方法は、前記緊急通信受付センターが前記緊急サービス要求を受信した後に、前記緊急サービス要求に応答し、且つ緊急サービス要求応答を返すことをさらに含む。
【００３３】
本発明の実施形態に係るリアルタイム通信におけるブラウザ緊急呼び出しシステムは、
緊急呼び出しを開始し、且つ緊急呼び出し要求応答を受信した後に、緊急通信サーバへ緊急サービス要求を送信するように構成されるブラウザと、
ブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返すように構成されるシグナリングサーバと、
緊急サービス要求を緊急通信受付センターに転送するように構成される緊急通信サーバと、
緊急通信サーバから送信された緊急サービス要求を受信するように構成される緊急通信受付センターとを含む。
【００３４】
上記の技術的解決手段において、前記シグナリングサーバは、ブラウザを介してユーザから送信された、ユーザのＩＰアドレス、またはブラウザの位置座標、または移動ユーザの位置パラメータが含まれている緊急呼び出し要求を受信し、前記緊急呼び出し要求に応じて、ブラウザを介して緊急呼び出しを行うユーザの位置情報を取得するように構成される。
【００３５】
上記の技術的解決手段において、前記シグナリングサーバは、ブラウザを介してユーザから送信された、サービスコード、及びユーザのＩＰアドレス、またはブラウザの位置座標、または移動ユーザの位置パラメータが含まれている一般呼び出し要求を受信し、前記サービスコードが緊急呼び出しサービスコードであるかどうかに応じて前記一般呼び出し要求が緊急呼び出し要求であるかどうかを確定し、前記一般呼び出し要求が緊急呼び出し要求である場合、前記緊急呼び出し要求に応じて、ブラウザを介して緊急呼び出しを行うユーザの位置情報を取得するように構成される。
【００３６】
上記の技術的解決手段において、前記シグナリングサーバは、ブラウザを介してユーザから送信された緊急呼び出し要求を受信し、位置サーバを介してユーザの位置情報を取得するように構成される。
【００３７】
上記の技術的解決手段において、前記緊急サービス要求には、緊急通信受付センターのＩＰアドレスまたは番号、および／またはユーザの位置情報が含まれる。
【００３８】
上記の技術的解決手段において、前記緊急通信受付センターは、さらに、前記緊急サービス要求を受信した後に、前記緊急サービス要求に応答し、且つ緊急サービス要求応答を返すように構成される。
【００３９】
本発明の実施形態に係るリアルタイム通信におけるブラウザ緊急呼び出し方法は、
ブラウザが、緊急呼び出しを開始する場合に、Ｊａｖａ（登録商標）スクリプト機能を利用して緊急サービス要求を移動通信モジュールに送信することと、移動通信モジュールが前記緊急サービス要求に応じて移動通信システムにおいて緊急呼び出しを開始することとを含む。
【００４０】
上記の技術的解決手段において、Ｊａｖａ（登録商標）スクリプト機能を利用して緊急サービス要求を移動通信モジュールに送信する前に、当該方法は、
前記ブラウザが現在の呼び出し要求におけるサービスコードに基づいて現在の呼び出し要求が緊急サービス要求であることを確定すること、
または、前記ブラウザが現在の呼び出し要求をシグナリングサーバに送信し、前記シグナリングサーバが、現在の呼び出し要求におけるサービスコードに基づいて現在の呼び出し要求が緊急サービス要求であることを確定し、ブラウザへ緊急呼び出し識別子が含まれている緊急サービス要求を返すことをさらに含む。
【００４１】
本発明の実施形態に係る移動装置は、
緊急呼び出しを開始し、緊急サービス要求を呼び出しモジュールに送信するように構成されるブラウザモジュールと、
Ｊａｖａ（登録商標）スクリプト機能を利用して緊急サービス要求を移動通信モジュールに送信するように構成される呼び出しモジュールと、
前記緊急サービス要求に応じて移動通信システムにおいて緊急呼び出しを開始するように構成される移動通信モジュールと、を含む。
【００４２】
上記の技術的解決手段において、前記ブラウザモジュールは、さらに、緊急サービス要求を呼び出しモジュールに送信する前に、現在の呼び出し要求におけるサービスコードに基づいて現在の呼び出し要求が緊急サービス要求であることを確定し、
または、現在の呼び出し要求をシグナリングサーバに送信し、前記シグナリングサーバから返された、緊急呼び出し識別子が含まれている緊急サービス要求を受信するように構成される。
【発明の効果】
【００４３】
本発明の実施形態に係るリアルタイム通信におけるブラウザ緊急呼び出し方法、システムおよび移動装置において、シグナリングサーバがブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザが前記緊急通信サーバへ緊急サービス要求を送信し、前記緊急通信サーバが緊急サービス要求を緊急通信受付センターに転送し、このようにして、緊急通信サーバを配置する技術的解決手段を採用し、または移動通信ネットワークを選択してブラウザ緊急呼び出しを行うことで、ＲＴＣＷＥＢシステムのクロスエリア緊急呼び出しを実現することができる。
【図面の簡単な説明】
【００４４】
【図１】従来技術におけるＩＭＳの緊急呼び出しシステムのフレームワークを示す図である。
【図２】従来技術におけるＲＴＣＷＥＢサービスの基本的な構造図である。
【図３】本発明の実施形態に係るリアルタイム通信におけるブラウザ緊急呼び出し方法のプローチャートである。
【図４】本発明の実施形態に係るリアルタイム通信におけるブラウザ緊急呼び出しシステムの構造図である。
【図５】本発明の実施形態一におけるリアルタイム通信におけるブラウザ緊急呼び出し方法を実現するプローチャートである。
【図６】本発明の実施形態二におけるリアルタイム通信におけるブラウザ緊急呼び出し方法を実現するプローチャートである。
【図７】本発明の実施形態三におけるリアルタイム通信におけるブラウザ緊急呼び出し方法を実現するプローチャートである。
【図８】本発明の実施形態四におけるリアルタイム通信におけるブラウザ緊急呼び出し方法を実現するプローチャートである。
【図９】本発明の実施形態に係る移動装置でのリアルタイム通信におけるブラウザ緊急呼び出し方法のプローチャートである。
【図１０】本発明の実施形態に係る移動装置の構造図である。
【発明を実施するための形態】
【００４５】
本発明の実施形態において、シグナリングサーバは、ブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザは、前記緊急通信サーバへ緊急サービス要求を送信し、前記緊急通信サーバは、緊急サービス要求を緊急通信受付センターに転送する。
【００４６】
以下、図面および具体的な実施形態を参照して本発明をさらに詳しく説明する。
【００４７】
本発明の実施形態に係るリアルタイム通信におけるブラウザ緊急呼び出し方法は、図３に示すように、以下のいくつかのステップを含む。
【００４８】
ステップ１０１において、シグナリングサーバは、ブラウザを介して緊急呼び出しを行うユーザの位置情報を取得し、前記位置情報に基づいてシグナリングサーバとユーザに最も近い緊急通信受付センターとの間に接続された緊急通信サーバを照会し、前記緊急通信サーバへ緊急サービス要求を送信し、またはブラウザへ緊急呼び出し要求応答を返し、ブラウザが前記緊急通信サーバへ緊急サービス要求を送信する。
【００４９】
このステップの前に、当該方法は、ＲＴＣＷＥＢに、シグナリングサーバ、緊急通信受付センター及びブラウザに接続された緊急通信サーバを設置することを含む。
【００５０】
このステップにおいて、シグナリングサーバがブラウザを介して緊急呼び出しを行うユーザの位置情報を取得することは、次のとおりである。シグナリングサーバがブラウザを介してユーザから送信された緊急呼び出し要求を受信する。前記緊急呼び出し要求にユーザのＩＰアドレス、またはブラウザの位置座標、または移動ユーザの位置パラメータが含まれる。シグナリングサーバが前記緊急呼び出し要求に応じて、座標または移動ユーザのセル位置情報またはＩＰアドレスに対応する物理位置などのユーザの位置情報を取得することであってもよい。
【００５１】
シグナリングサーバがブラウザを介して緊急呼び出しを行うユーザの位置情報を取得することは、次のとおりである。シグナリングサーバがブラウザを介してユーザから送信された一般呼び出し要求を受信する。前記一般呼び出し要求には、サービスコード、及びユーザのＩＰアドレス、またはブラウザの位置座標、または移動ユーザの位置パラメータが含まれる。シグナリングサーバが前記サービスコードが緊急呼び出しサービスコードであるかどうかに応じて前記一般呼び出し要求が緊急呼び出し要求であるかどうかを確定する。前記サービスコードが緊急呼び出しサービスコードであり、即ち前記一般呼び出し要求が緊急呼び出し要求である場合、前記緊急呼び出し要求に応じて、座標または移動ユーザのセル位置情報またはＩＰアドレスに対応する物理位置などのユーザの位置情報を取得することであってもよい。
【００５２】
シグナリングサーバがブラウザを介して緊急呼び出しを行うユーザの位置情報を取得することは、シグナリングサーバがブラウザを介してユーザから送信された緊急呼び出し要求を受信し、位置サーバを介してユーザの位置情報を取得することであってもよい。
【００５３】
前記位置情報に基づいてシグナリングサーバとユーザに最も近い緊急通信受付センターとの間に接続された緊急通信サーバを照会することは、前記位置情報に基づいてインターネットにおいてユーザに最も近い緊急通信受付センターを照会し、前記緊急通信受付センターのルーティングによってシグナリングサーバと前記緊急通信受付センターとの間に接続された緊急通信サーバのＩＰアドレスを確定することであってもよい。
【００５４】
前記緊急呼び出し要求応答には、緊急通信サーバのＩＰアドレス、緊急通信受付センターのＩＰアドレスまたは番号、および／またはユーザの位置情報が含まれる。
【００５５】
前記緊急サービス要求には、緊急通信受付センターのＩＰアドレスまたは番号、および／またはユーザの位置情報が含まれる。
【００５６】
このステップは、ブラウザが、自体に、位置が一致する緊急通信サーバが保存されるかどうかを検出するステップをさらに含み、位置が一致する緊急通信サーバが保存されない場合、シグナリングサーバへ緊急呼び出しを開始し、位置が一致する緊急通信サーバが保存された場合、直接前記緊急通信サーバへ緊急サービス要求を送信し、前記緊急サービス要求に緊急通信受付センターのＩＰアドレスまたは番号、および／またはユーザの位置情報が含まれる。
【００５７】
前記位置が一致する緊急通信サーバは、ブラウザの位置が一致する緊急通信サーバである。
【００５８】
ステップ１０２において、前記緊急通信サーバは、緊急サービス要求を緊急通信受付センターに転送する。
【００５９】
具体的には、前記緊急通信サーバは、受信された緊急サービス要求に含まれる緊急通信受付センターのＩＰアドレスまたは番号、および／またはユーザの位置情報に基づいて、前記緊急サービス要求を対応する緊急通信受付センターに転送する。
【００６０】
上記の方法は、前記緊急通信受付センターが前記緊急サービス要求を受信した後に、前記緊急サービス要求に応答し、そして緊急通信サーバとシグナリングサーバを介してブラウザへ緊急サービス要求応答を返すことをさらに含む。
【００６１】
上記の方法を実現するために、本発明の実施形態は、リアルタイム通信のブラウザ緊急呼び出しシステムを提供する。図４に示すように、当該システムは、
緊急呼び出しを開始し、そして緊急呼び出し要求応答を受信した後に、前記緊急通信サーバ１３へ緊急サービス要求を送信するように構成されるブラウザ１１と、
ブラウザ１１を介して緊急呼び出しを行うユーザの位置情報を取得し、前記位置情報に基づいてシグナリングサーバ１２とユーザに最も近い緊急通信受付センター１４との間に接続された緊急通信サーバ１３を照会し、前記緊急通信サーバ１３へ緊急サービス要求を送信し、またはブラウザ１１へ緊急呼び出し要求応答を返すように構成されるシグナリングサーバ１２と、
緊急サービス要求を緊急通信受付センター１４に転送するように構成される緊急通信サーバ１３と、
緊急通信サーバ１３から送信された緊急サービス要求を受信するように構成される緊急通信受付センター１４とを含む。
【００６２】
前記シグナリングサーバ１２は、具体的に、ユーザからブラウザ１１を介して送信された緊急呼び出し要求を受信し、前記緊急呼び出し要求にユーザのＩＰアドレス、またはブラウザ１１の位置座標、または移動ユーザの位置パラメータが含まれ、前記緊急呼び出し要求に応じて、ブラウザ１１を介して緊急呼び出しを行うユーザの位置情報を取得するように構成される。
【００６３】
前記シグナリングサーバ１２は、具体的に、ユーザからブラウザ１１を介して送信された一般呼び出し要求を受信し、前記一般呼び出し要求にサービスコード、ユーザのＩＰアドレス、またはブラウザ１１の位置座標、または移動ユーザの位置パラメータが含まれ、前記サービスコードが緊急呼び出しサービスコードであるかどうかに応じて前記一般呼び出し要求が緊急呼び出し要求であるかどうかを確定し、前記サービスコードが緊急呼び出しサービスコードであり、即ち前記一般呼び出し要求が緊急呼び出し要求である場合、前記緊急呼び出し要求に応じて、ブラウザ１１を介して緊急呼び出しを行うユーザの位置情報を取得するように構成される。
【００６４】
前記位置情報は、座標または移動ユーザのセル位置情報またはＩＰアドレスに対応する物理位置などであってよい。
【００６５】
前記シグナリングサーバ１２は、具体的に、ユーザからブラウザ１１を介して送信された緊急呼び出し要求を受信し、位置サーバを介してユーザの位置情報を取得するように構成される。
【００６６】
前記緊急呼び出し要求応答には、緊急通信サーバ１３のＩＰアドレス、緊急通信受付センター１４のＩＰアドレスまたは番号、および／またはユーザの位置情報が含まれる。
【００６７】
前記緊急サービス要求には、緊急通信受付センター１４のＩＰアドレスまたは番号、および／ユーザの位置情報が含まれる。
【００６８】
前記緊急通信サーバ１３は、具体的に、受信された緊急サービス要求に含まれる緊急通信受付センター１４のＩＰアドレスまたは番号、および／またはユーザの位置情報に基づいて、前記緊急サービス要求を対応する緊急通信受付センター１４に転送するように構成される。
【００６９】
前記緊急通信受付センター１４は、さらに、前記緊急サービス要求を受信した後に、前記緊急サービス要求に応答し、そして緊急通信サーバ１３とシグナリングサーバ１２を介してブラウザ１１へ緊急サービス要求応答を返すように構成される。
【００７０】
以下、具体的な実施形態を参照して本発明の方法の実現プロセスおよび原理を詳しく説明する。
【００７１】
実施形態一
本実施形態に係るリアルタイム通信を実現するブラウザ緊急呼び出し方法は、図５に示すように、以下のいくつかのステップを含む。
【００７２】
ステップ２０１において、ユーザのブラウザは、シグナリングサーバへ緊急呼び出し要求を開始し、前記緊急呼び出し要求にユーザのＩＰアドレス、またはユーザのブラウザの位置座標、または移動ユーザの位置パラメータが含まれる。
【００７３】
ステップ２０２において、シグナリングサーバは、前記緊急呼び出し要求に応じて、ブラウザを介して緊急呼び出しを行うユーザの位置情報を取得し、前記位置情報に基づいてシグナリングサーバとユーザに最も近い緊急通信受付センターとの間に接続された緊急通信サーバを照会する。
【００７４】
ステップ２０３において、シグナリングサーバは、前記緊急通信サーバへ緊急サービス要求を送信し、前記緊急サービス要求にユーザの位置情報が含まれる。
【００７５】
ステップ２０４において、前記緊急通信サーバは、ユーザの位置情報に基づいて緊急通信受付センターを照会し、前記緊急サービス要求を緊急通信受付センターに転送する。
【００７６】
ステップ２０５において、緊急通信受付センターは、緊急通信サーバとシグナリングサーバを介してブラウザへ緊急サービス要求応答情報を返し、前記緊急サービス要求に応答する。
【００７７】
実施形態二
本実施形態に係るリアルタイム通信を実現するブラウザ緊急呼び出し方法は、図６に示すように、以下のいくつかのステップを含む。
【００７８】
ステップ３０１において、ユーザのブラウザは、シグナリングサーバへ一般呼び出し要求を開始し、前記一般呼び出し要求にサービスコード、ユーザのＩＰアドレス、またはブラウザの位置座標、または移動ユーザの位置パラメータ、例えばサービスコード１１０―中国の警察への電話、１１９―消防電話などが含まれる。
【００７９】
ステップ３０２において、シグナリングサーバは、前記サービスコードに基づいて前記一般呼び出し要求が緊急呼び出し要求であることを確定する。
【００８０】
ステップ３０３において、シグナリングサーバは、前記緊急呼び出し要求に応じて、ブラウザを介して緊急呼び出しを行うユーザの位置情報を取得し、前記位置情報に基づいてシグナリングサーバとユーザに最も近い緊急通信受付センターとの間に接続された緊急通信サーバを照会する。
【００８１】
ステップ３０４において、シグナリングサーバは、前記緊急通信サーバへ緊急サービス要求メッセージを送信し、前記メッセージにユーザの位置情報が含まれる。
【００８２】
ステップ３０５において、前記緊急通信サーバは、ユーザの位置情報に基づいて緊急通信受付センターを照会し、前記緊急サービス要求を緊急通信受付センターに転送する。
【００８３】
ステップ３０６において、緊急通信受付センターは、緊急通信サーバを介してシグナリングサーバへ緊急サービス要求応答メッセージを返し、前記緊急サービス要求に応答する。
【００８４】
ステップ３０７において、シグナリングサーバは、ブラウザへサービス要求応答メッセージを返す。
【００８５】
実施形態三
本実施形態に係るリアルタイム通信を実現するブラウザ呼び出し方法は、図７に示すように、以下のいくつかのステップを含む。
【００８６】
ステップ４０１において、ユーザのブラウザは、位置が一致する緊急通信サーバのアドレスが保存されるかどうかを検査し、保存されない場合、シグナリングサーバへ緊急呼び出し要求を開始し、前記緊急呼び出し要求にユーザのＩＰアドレス、またはユーザのブラウザの位置座標、または移動ユーザの位置パラメータ、例えばセル情報が含まれる。
【００８７】
位置が一致する緊急通信サーバのアドレスが保存された場合、直接ステップ４０４を実行する。
【００８８】
ステップ４０２において、シグナリングサーバは、緊急呼び出し要求に応じて、ブラウザを介して緊急呼び出しを行うユーザの位置情報を取得し、前記位置情報に基づいてシグナリングサーバとユーザに最も近い緊急通信受付センターとの間に接続された緊急通信サーバを照会する。
【００８９】
ステップ４０３において、シグナリングサーバは、ブラウザへ緊急呼び出し要求応答を返し、前記緊急呼び出し要求応答に緊急通信サーバのアドレス、および／またはユーザの位置情報が含まれる。
【００９０】
ステップ４０４において、ユーザのブラウザは、緊急通信サーバへ緊急サービス要求を送信し、前記緊急サービス要求にユーザの位置情報が含まれる。
【００９１】
ステップ４０５において、前記緊急通信サーバは、ユーザの位置情報に基づいて緊急通信受付センターを照会し、前記緊急サービス要求を緊急通信受付センターに転送する。
【００９２】
ステップ４０６において、緊急通信受付センターは、緊急通信サーバを介してブラウザへ緊急サービス要求応答メッセージを返して、前記緊急サービス要求に応答する。
【００９３】
実施形態四
本実施形態に係るリアルタイム通信を実現するブラウザ呼び出し方法は、図８に示すように、以下のいくつかのステップを含む。
【００９４】
ステップ５０１において、ユーザのブラウザは、シグナリングサーバへ一般呼び出し要求を開始し、前記一般呼び出し要求にサービスコード、ユーザのＩＰアドレス、またはブラウザの位置座標、または移動ユーザの位置パラメータ、例えばサービスコード１１０−中国の警察への電話、１１９―消防電話などが含まれる。
【００９５】
ステップ５０２において、シグナリングサーバは、前記サービスコードに基づいて前記一般呼び出し要求が緊急呼び出し要求であることを確定し、前記緊急呼び出し要求に応じて、ブラウザを介して緊急呼び出しを行うユーザの位置情報を取得し、前記位置情報に基づいてシグナリングサーバとユーザに最も近い緊急通信受付センターとの間に接続された緊急通信サーバを照会する。
【００９６】
ステップ５０３において、シグナリングサーバは、ブラウザへ緊急呼び出し要求応答を返し、前記緊急呼び出し要求応答に緊急通信サーバのアドレス、および／またはユーザの位置情報が含まれる。
【００９７】
ステップ５０４において、ユーザのブラウザは、緊急通信サーバへ緊急サービス要求メッセージを送信し、前記メッセージにユーザの位置情報が携帯される。
【００９８】
ステップ５０５において、前記緊急通信サーバは、ユーザの位置情報に基づいて緊急通信受付センターを照会し、前記緊急サービス要求を緊急通信受付センターに転送する。
【００９９】
ステップ５０６において、緊急通信受付センターは、緊急通信サーバを介してブラウザへ緊急サービス要求応答メッセージを返し、前記緊急サービス要求に応答する。
【０１００】
本発明の実施形態に係る移動装置でのリアルタイム通信におけるブラウザ緊急呼び出し方法は、図９に示すように、以下のいくつかのステップを含む。
【０１０１】
ステップ６０１において、ブラウザは、緊急呼び出しを開始する場合に、Ｊａｖａ（登録商標）スクリプト（Ｓｃｒｉｐｔ）機能を利用して緊急サービス要求を移動通信モジュールに送信する。
【０１０２】
このステップは、Ｊａｖａ（登録商標）スクリプト機能を利用して緊急サービス要求を移動通信モジュールに送信する前に、前記ブラウザが現在の呼び出し要求におけるサービスコードに基づいて現在の呼び出し要求が緊急サービス要求であることを確定すること、または、
前記ブラウザが現在の呼び出し要求をシグナリングサーバに送信し、前記シグナリングサーバが現在の呼び出し要求におけるサービスコードに基づいて現在の呼び出し要求が緊急サービス要求であることを確定し、ブラウザへ緊急呼び出し識別子が含まれる緊急サービス要求を返すことをさらに含む。
【０１０３】
前記緊急サービス要求には、緊急呼び出し番号が含まれる。
【０１０４】
前記移動通信モジュールは、長期発展型（ＬＴＥ）移動通信モジュール、符号分割多元接続（ＣＤＭＡ）移動通信モジュール、広帯域符号分割多元接続（ＷＣＤＭＡ（登録商標））移動通信モジュール、ＷｉＦｉ通信モジュールなどを含む。
【０１０５】
ステップ６０２において、移動通信モジュールは、前記緊急サービス要求に応じて移動通信システムにおいて緊急呼び出しを開始する。
【０１０６】
具体的には、移動通信モジュールは、前記緊急サービス要求におけるサービスコードに基づいて、移動通信システムにおいて緊急呼び出しを開始する。
【０１０７】
本発明の実施形態に係る移動装置は、図１０に示すように、
緊急呼び出しを開始する場合に、緊急サービス要求を呼び出しモジュール２２に送信するように構成されるブラウザモジュール２１と、
Ｊａｖａ（登録商標）スクリプト機能を利用して緊急サービス要求を移動通信モジュール２３に送信するように構成される呼び出しモジュール２２と、
前記緊急サービス要求に応じて移動通信システムにおいて緊急呼び出しを開始するように構成される移動通信モジュール２３と、を含む。
【０１０８】
前記ブラウザモジュール２１は、さらに、緊急サービス要求を呼び出しモジュール２２に送信する前に、現在の呼び出し要求におけるサービスコードに基づいて現在の呼び出し要求が緊急サービス要求であることを確定し、または、
現在の呼び出し要求をシグナリングサーバに送信し、前記シグナリングサーバから返された、緊急呼び出し識別子が含まれる緊急サービス要求を受信するように構成される。
【０１０９】
実際の応用において、前記ブラウザモジュール２１は、移動装置のメモリによって実現されることができ、前記呼び出しモジュール２２は、移動装置の中央プロセッサ（ＣＰＵ）によって実現されることができ、前記移動通信モジュール２３は、移動装置のベースバンド信号プロセッサによって実現されることができる。
【産業上の利用可能性】
【０１１０】
上述したように、本発明の実施形態の技術的解決手段について、緊急通信サーバを配置する技術的解決手段を採用し、または移動通信ネットワークを選択してブラウザ緊急呼び出しを行うことで、ＲＴＣＷＥＢシステムのクロスエリア緊急呼び出しを実現することができる。
【０１１１】
上記は、本発明の好ましい実施形態に過ぎなく、本発明の保護範囲を制限することに用いられるものではない。
【符号の説明】
【０１１２】
１１・・・ブラウザ、１２・・・シグナリングサーバ、１３・・・緊急通信サーバ、１４・・・緊急通信受付センター、２１・・・ブラウザモジュール、２２・・・呼び出しモジュール、２３・・・移動通信モジュール、１０１・・・ユーザ装置、１０２・・・プロキシ呼セッション制御機能、１０３・・・サービング呼セッション制御機能、１０４・・・ホーム加入者サーバ、１０５・・・緊急呼セッション制御機能、１０６・・・位置取得機能、１０７・・・緊急通信受付センター。
【図１】
2016500234.tif 000003
【図２】
2016500234.tif 000004
【図３】
2016500234.tif 000005
【図４】
2016500234.tif 000006
【図５】
2016500234.tif 000007
【図６】
2016500234.tif 000008
【図７】
2016500234.tif 000009
【図８】
2016500234.tif 000010
【図９】
2016500234.tif 000011
【図１０】
2016500234.tif 000012
【国際調査報告】
2016500234.tif 000013
2016500234.tif 000014
2016500234.tif 000015
2016500234.tif 000016